(57)【特許請求の範囲】
【請求項１】
コンクリートブロックを積み重ねた壁体と、
前記壁体に固定され、前記壁体の外方側に突出する係止部が設けられ、前記壁体への固定部分における上端部分が前記壁体の上端面に当接するように曲折されたハンガーと、
前記壁体の外表面に前記ハンガーを介して取り付けられた断熱材と、
前記断熱材を外方側から覆う外装材を吊架すると共に前記係止部に係止された吊架体と、を有するコンクリートブロック構築体であって、
前記吊架体は、前記係止部に係止される横材と、該横材を所要間隔で保持する縦材とにより構成されていて、
前記横材は板材からなり、先端部が前記縦材との連結部分から外方側に離反するへ字形状に形成されていることを特徴とするコンクリートブロック構築体。
【請求項２】
前記係止部はＶ溝に形成されていることを特徴とする請求項１記載のコンクリートブロック構築体。
【請求項３】
前記Ｖ溝は、一方の内壁面が鉛直面に形成されていることを特徴とする請求項２記載のコンクリートブロック構築体。
【請求項４】
前記断熱材は、前記ハンガーの外側から前記コンクリートブロックの外側表面に向けて断熱材を前記ハンガーに刺し込むことにより取り付けられていることを特徴とする請求項１〜３のうちのいずれか一項に記載のコンクリートブロック構築体。
【発明の詳細な説明】
【技術分野】
【０００１】
本発明はコンクリートブロック構築体に関し、より詳細には、コンクリートブロックを用いる組積工法（ＲＭ（Reinforced Masonry) 工法）で構築されたコンクリートブロック構築体に関する。
【背景技術】
【０００２】
コンクリートブロックを用いた組積工法によって構築物を構築する方法は既に一般的に行われている（特許文献１）。現在この構築方法は国土交通省告示によって一般工法として認可されており、５階建てまでの中層建物の建築が可能になっている。このようなコンクリートブロック組積工法構築体は、構築体の躯体を構成するコンクリートが蓄熱体であるため、断熱構造としてはコンクリートブロックの外側に断熱材を配置する外断熱構造が効率的である（特許文献２）。
外断熱構造を有するコンクリートブロック構築体においては、断熱材を保護すると共に、外観を向上させるために外装材を配設することが好適であり、外装材を簡単にしかも確実に取り付けする構成も開示されている（特許文献３）。
【特許文献１】特開２０００−２５７１８９号公報
【特許文献２】特開平１１−３５０６４３号公報
【特許文献３】特開２００６−１６９８６２号公報
【発明の開示】
【発明が解決しようとする課題】
【０００３】
特許文献３においては、外断熱構造におけるコンクリートブロック構築体の断熱材を保護すると共に、コンクリートブロック構築体の外観を向上させるための外装材の取り付けにおいて、コンクリートブロックに固定され、外装材を装着するための横材を吊架するためのハンガー用いる構成が開示されている。この構成により外装材を簡単に取り付けすることが可能になった。
【０００４】
ところが、コンクリートブロックに固定されるハンガーがコンクリートブロックの上面からさらに上方側に突出する突出部分を有しているため、ハンガーの配設箇所がコンクリートブロックの目地部分に制約されてしまうという課題が明らかになった。
また、横材を吊架する部分（係止部）が外装材を取り付ける際に邪魔になるため、外装材を取り付けする際は、ハンガーの位置を避けなければなければならず（ハンガーの位置を外装材の目地位置にしなければならない）、外装材の配設自由度にも制約が生じてしまうという課題が明らかになった。
【０００５】
そこで本願発明は、コンクリートブロック構築体において、コンクリートブロックに固定されるハンガーの配設位置に制約を与えることなく、コンクリートブロックの任意の位置にハンガーを配設しても、コンクリートブロックの組積および外装材を取り付ける際の邪魔にならず、より簡単に外装材を取り付けることが可能なコンクリートブロック構築体を提供することを目的としている。
【課題を解決するための手段】
【０００６】
本発明は、コンクリートブロックを積み重ねた壁体と、前記壁体に固定され、前記壁体の外方側に突出する係止部が設けられ、前記壁体への固定部分における上端部分が前記壁体の上端面に当接するように曲折されたハンガーと、前記壁体の外表面に前記ハンガーを介して取り付けられた断熱材と、前記断熱材を外方側から覆う外装材を吊架すると共に前記係止部に係止された吊架体と、を有するコンクリートブロック構築体構築体であって、前記吊架体は、前記係止部に係止される横材と、該横材を所要間隔で保持する縦材とにより構成されていて、前記横材は板材からなり、先端部が前記縦材との連結部分から外方側に離反するへ字形状に形成されていることを特徴とするコンクリートブロック構築体である。
【０００８】
また、前記係止部はＶ溝に形成されていることを特徴とし、特に前記Ｖ溝は、一方の内壁面が鉛直面に形成されていることが好ましい。
これにより、係止部への吊架体のセットが容易になる。そして、吊架体に外装材を吊架することにより、吊架体がＶ溝の鉛直面に対して若干押圧する状態になるので、外装材を鉛直に配設することができ、コンクリート構築体の外観を良好にすることができる。
【０００９】
また、前記断熱材は、前記ハンガーの外側から前記コンクリートブロックの外側表面に向けて断熱材を前記ハンガーに刺し込むことにより取り付けられていることを特徴とする。これにより、断熱材の配設作業を簡単に行うことができ、しかも、断熱材の脱落を好適に防止することができる。
【発明の効果】
【００１０】
本発明にかかるコンクリートブロック構築体によれば、コンクリートブロックに固定されるハンガーの配設位置が制約されることなく、コンクリートブロックの任意の位置にハンガーを配設することができるため、外装材の配設自由度が向上する。
また、壁体に固定したハンガーは、コンクリートブロックの組積作業および外装材の取り付け作業において何ら支障をきたさないので、コンクリートブロック構築体の施工を効率的に行うことが可能になる。
そして、ハンガーの配設位置にかかわらず自由な位置に外装材を吊架することができ、外装材の配設効率が向上する。また、外装材がハンガーの係止部を押圧することになり、ハンガーが断熱材を壁体に密着させることができる。
【発明を実施するための最良の形態】
【００１１】
以下、本発明の実施形態について図面に基づいて説明する。図１は、本発明に係るコンクリートブロック構築体の斜視図である。図２は、壁体を構成するコンクリートブロックの形状を示す平面図と正面図である。図３は、ハンガーの斜視図と側面図である。図４は、外装材の正面図、背面図、側面図である。
本実施形態におけるコンクリートブロック構築体１００は、組積されたコンクリートブロック１０により壁体１２を構築し、壁体１２の外側表面にハンガー２０を固定し、ハンガー２０に格子状に形成された吊架体４０のうちの横材４２を掛け止めした後に、吊架体５０の横材４２に外装材５０を吊り下げることにより構築されている。
【００１２】
壁体１２の外表面にはボード状に形成されている断熱材６０が壁体１２の外表面に密着した状態で配設されている。また、壁体１２を構成するコンクリートブロック１０におけるフェースプレート１４Ａ，１４Ｂに挟まれている空間部分にはコンクリート７０が充てんされる。コンクリート７０の充てんに先駆けてフェースプレート１４Ａ，１４Ｂ間の空間には連結用鉄筋７２を鉛直に配設し、コンクリートブロック１０とコンクリート７０との一体化を強化している。
【００１３】
図２に示すように、壁体１２を構成するコンクリートブロック１０は、２つの連結部１６，１６により２枚のフェースプレート１４Ａ，１４Ｂが平行に連結されている。本実施形態におけるコンクリートブロック１０は、プレス成形により成形したものを使用している。本実施形態においてはフェースプレート１４Ａが壁体１２の外側表面となるようにコンクリートブロック１０が組積されている。
【００１４】
組積された壁体１２の外側表面には、ハンガー２０が固定される。すなわち本実施形態においては、コンクリートブロック１０のフェースプレート１４Ａにハンガー２０が固定されることになる。
図３に示すように、本実施形態におけるハンガー２０は、金属板をプレス加工により所定形状に打ち抜かれた後、フェースプレート１４Ａに固定する固定部２４の上端部分を本体部２２に対して直交する方向に曲折することにより形成されている。固定部２４は、フェースプレート１４Ａの上端面部分を進入させる凹部２４Ａおよび本体部２２に対して曲折された部分でありフェースプレート１４の上端面に当接する当接部２４Ｂと、フェースプレート１４Ａの背面側に進入する脚部２４Ｃとからなる。フェースプレート１４Ａはフェースプレート１４Ａの上端面が当接部２４Ｂの下面位置となるまで凹部２４Ａに進入する。
ハンガー２０は、図１に示すように本体部２２がフェースプレート１４Ａの外側に突出する状態でフェースプレート１４Ａに固定される。本体部２２の先端部（フェースプレートから離反側の端部）には、後述する吊架体４０を係止する係止部２６が形成されている。
【００１５】
固定部２４の凹部２４Ａの内幅寸法Ｗは、フェースプレート１４Ａの板厚寸法Ｔ（図２および図３参照）と略等しい幅寸法に形成されている。凹部２４Ａをフェースプレート１４Ａに嵌め込むと、フェースプレート１４Ａの背面側に脚部２４Ｃが進入すると共に、当接部２４Ｂがフェースプレート１４Ａの上端面に当接した状態となる。このようにして装着されたハンガー２０はフェースプレート１４Ａ（壁体１２）の外表面側から固定部２４以外の部分が突出した状態で固定することができる。
フェースプレート１４Ａの背面側に進入した脚部２４Ｃは後に充てんされるコンクリート７０に埋設した状態となり、ハンガー２０は配設位置においてしっかりと固定される。
【００１６】
本体部２２の先端部には、フェースプレート１４Ａ（壁体１２）から所要距離離反した位置で鉛直方向に延伸した略し字状をなす係止部２６が設けられている。係止部２６の内側はＶ字溝２７に形成されている。Ｖ字溝２７をなす一方の内壁２７Ａは本体部２２により構成されていているので鉛直面に形成されている。本実施形態においては、係止部２６の最外面２６ＡがＶ字溝２７の一方の内壁２７Ａと平行となるように形成されている。
【００１７】
ハンガー２０の係止部２６には、外装材５０を吊り下げるための吊架体４０が係止される。吊架体４０は横材４２と縦材４４とを格子状に組み立てることにより形成されている。横材４２は板材により構成されていて、丸鋼からなる縦材４４により所要間隔をあけて平行となるように連結されている。横材４２と縦材４４とは溶接等により連結することができる。横材４２は薄い鋼板よりなり、縦材４４と連結されていない部分（横材４２の上端部分）が所要範囲にわたって縦材４４から徐々に離反するように曲折され、側面視形状が略へ字状となるように形成されている。
このように形成された吊架体４０は横材４２の平坦部分４２Ａをハンガー２０のＶ字溝２７に進入させることにより係止している。なお、吊架体４０の横材４２のすべては、必ずしもハンガー２０のＶ字溝２７に係止されるものではなく、図１に示すように、縦材４４により吊り下げられた状態で保持されているものもある。横材４２は鉛直方向に複数枚配設されているが、少なくとも２箇所の横材４２がハンガー２０のＶ字溝２７に係止されていれば良い。
【００１８】
図４に示すように、外装材５０は、化粧板５２と化粧板５２の背面側に接着されたアダプタ５４とにより構成されている。化粧板５２の表面はコンクリートブロック構築体１０の最も外側面となるので、装飾が施されていることが多い。化粧板５２の背面側には水平方向に延伸する凹溝５２Ａが形成されていて、凹溝５２Ａにアダプタ５４の一部を嵌め込むことにより化粧板５２とアダプタ５４が組み立てられる。アダプタ５４は、側面視形状が吊架体４０の横材４２の上端部分における側面視形状にならった斜辺部５４Ａを有する台形状に形成されていて、短辺側には突片５４Ｂが設けられている。本実施形態におけるアダプタ５４はコンクリートブロックにより形成されている。アダプタ５４は、化粧板５２の凹溝５２Ａにモルタル等の接着剤を塗布した後に突片５４Ｂを凹溝５２Ａに嵌合させることにより接着している。このように外装材５０は、アダプタ５４を介してハンガー２０に吊り下げられるので、化粧板５２の材料として自然石を用いることができる点で好都合である。
本実施形態における外装材５０は、アダプタ５４の斜辺部５４Ａを吊架体４０の横材４２の上端部分に掛止した際に、化粧板５２の裏面側がハンガー２０の係止部２６の外側面に当接するようにアダプタ５４の板厚寸法が設定されている。
【００１９】
次に、本実施形態におけるコンクリートブロック構築体１００の施工方法について説明する。図５〜図１０は、コンクリートブロック構築体の施工手順の各段階における状態を示す側面図である。
まず、コンクリートブロック１０を組積し、コンクリートブロック１０のフェースプレート１４Ａの上端側からハンガー２０を装着する。フェースプレート１４Ａの上面側からハンガー２０の凹部２４Ａを被せるようにしてフェースプレート１４Ａに進入させる。ハンガー２０は当接部２４Ｂの下面が、フェースプレート１４Ａの上端面に当接するまでフェースプレート１４Ａに進入させる。図６に示すように、ハンガー２０は脚部２４Ｃがフェースプレート１４Ａの背面側から下方に進入し、本体部２２と脚部２４Ｃとによりフェースプレート１４Ａを挟持した状態になる。
【００２０】
先にも説明したように、ハンガー２０は薄い鋼板により形成されているので、ハンガー２０が装着されたコンクリートブロック１０の上側にさらにコンクリートブロック１０を積むことができる。コンクリートブロック１０が所定の高さになるまで、コンクリートブロック１０の組積とハンガー２０の取り付けを繰り返し行う。コンクリートブロック１０の組積とハンガー２０の取り付けが完了したら、フェースプレート１４Ａ，１４Ｂとの間の空間部分に連結用鉄筋７２（図１参照）を配設し、コンクリート７０を充てんする。コンクリート７０を充てんすると、連結用鉄筋７２がコンクリートブロック１０どうしを連結すると共に、ハンガー２０の脚部２４Ｃがコンクリート７０内に埋設された状態となるので、コンクリートブロック１０を組積してなる壁体１２とハンガー２０とは強固に一体化する。
【００２１】
壁体１２にハンガー２０を装着して固定した後、壁体１２の外表面（コンクリートブロック１０のフェースプレート１４Ａの表面）に断熱材６０を配設する。断熱材６０は発泡硬化ポリウレタン等をパネル状に形成したものであり、また、ハンガー２０は薄いステンレス鋼板により形成されているため、フェースプレート１４Ａの外表面にハンガー２０の固定部２４以外の部分が突出した状態で存在していても、断熱材６０をハンガー２０に刺し込むことにより断熱材６０をフェースプレート１４Ａ（外壁１２）の外表面に密着させた状態で配設することができる。断熱材６０の板厚寸法Ｔ２は、ハンガー２０の本体部２２の突出高さＨよりも小さくなるように形成されている。本実施形態においては、壁面１２の外表面からハンガー２０の本体部２２が突出する突出高さＨに吊架体４０の縦材４４の径寸法を加えた寸法と等しくなるように断熱材６０の板厚寸法Ｔ２を設定している。寒冷地においては、断熱材６０の板厚寸法Ｔ２に合わせてハンガー２０の本体部２２の突出寸法Ｈが規定される。
【００２２】
壁体１２の外表面を断熱材６０により覆った後、図７および図８に示すように、吊架体４０をハンガー２０に取り付ける。吊架体４０は横材４２の鉛直になっている部分(平坦部分)４２Ａをハンガー２０のＶ字溝２７に掛け止めすることでハンガー２０に取り付けられる。先述のとおり、Ｖ字溝２７は壁体１２側の内壁面２７Ａが鉛直になっており、他方の内壁面が傾斜した状態に形成されているので、横材４２の掛け止めを容易に行うことができる。また、Ｖ字溝２７は、横材４２を掛け止めした後に吊架体４０の縦材４４を鉛直になるように横材４２を本体部２２に押し付けた際（図８）に、横材４２の底面がＶ字溝２７に嵌合させることができる形状に形成されているので、吊架体４０を壁面１２の外表面と平行な状態を維持することができる。このように、吊架体４０が壁面１２の外表面と平行に配設されることにより、吊架体４０の縦材４４が断熱材６０を壁面１２（フェースプレート１４Ａ）に押し付けられた状態になり、断熱材６０と壁体１２の外表面との密着性が向上する。
【００２３】
吊架体４０を配設した後、図９および図１０に示すように、外装材５０を吊架体４０の横材４２に吊り下げることにより装着する。外装材５０には横材４２の上端部（曲折部分）形状にならった形状に形成された斜辺部５４Ａを有するアダプタ５４が取り付けられているので、アダプタ５４の斜辺部５４Ａを横材４２の上端部（曲折部分）に密着させて取り付けることができる。
横材４２の側面視形状がへ字状に曲折されていて、この曲折部分に外装材５０を吊り下げていることにより、外装材５０の自重が吊架体４０の縦材４４を断熱材６０に押し付ける作用をなす。これに加えて、外装材５０の化粧板５２の内側面をハンガー２０の最外面２６Ａに当接した状態となることにより、ハンガー２０がハンガー２０に刺し込むことにより配設した断熱材６０と共に壁体１２に押し付けられる作用が得られ、断熱材６０と壁体１２を密着させた状態を好適に維持することができる。
【００２４】
以上により、コンクリートブロック１０を組積することによりなるコンクリートブロック構築体１００が完成する。本実施形態におけるコンクリートブロック構築体１００は、コンクリートブロック１０どうしが連結鉄筋７２およびコンクリート７０により一体化しているため耐震性が良好である。また、断熱材６０が構造物の外部に配設された外断熱構造であり、構造物の最外表面が外装材５０により装飾されているので、快適な居住空間を提供すると共に見た目に美しいコンクリートブロック構築体１００を安価に構築することが可能になる。また、外装材５０の交換を容易に行うことができるため、外装材５０や断熱材６０のリフォームも容易に行うことができ、長期にわたって快適な居住空間を提供することができる。
【００２５】
以上に、本実施形態に基づいて本発明を説明してきたが、本発明は本実施形態にのみ限定されるものではないのはもちろんであり、発明の要旨を変更しない範囲において各種改変を施したとしても本発明の技術的範囲に属することはいうまでもない。
例えば、以上に説明した実施形態においては、外装材５０として、化粧板５２とアダプタ５４を別体に形成し、接着等により一体化したものを用いているが、化粧板５２をコンクリートにより形成する場合には、化粧板５２とアダプタ５４とをプレス成形機で一体成形した外装材５０を用いることも可能である。
【図面の簡単な説明】
【００２６】
【図１】本発明に係るコンクリートブロック構築体の斜視図である。
【図２】壁体を構成するコンクリートブロックの形状を示す平面図と正面図である。
【図３】ハンガーの斜視図と側面図である。
【図４】外装材の正面図、背面図、側面図である。
【図５】コンクリートブロック構築体の施工手順においてハンガーの取り付け時における状態を示す側面図である。
【図６】コンクリートブロック構築体の施工手順において断熱材配設時における状態を示す側面図である。
【図７】コンクリートブロック構築体の施工手順においてハンガーの係止部に吊架体を取り付け時における状態を示す側面図である。
【図８】コンクリートブロック構築体の施工手順においてハンガーの係止部に吊架体を取り付けた状態を示す側面図である。
【図９】コンクリートブロック構築体の施工手順において吊架体に外装材を取り付けしている状態を示す側面図である。
【図１０】コンクリートブロック構築体の施工手順において吊架体に外装材を取り付けた状態を示す側面図である。
【符号の説明】
【００２７】
１０  コンクリートブロック
１２  壁体
１４Ａ，１４Ｂ  フェースプレート
１６  連結部
２０  ハンガー
２２  本体部
２４  固定部
２４Ａ  凹部
２４Ｂ  当接部
２４Ｃ  脚部
２６  係止部
２６Ａ  係止部の最外面
２７  Ｖ字溝
２７Ａ  一方の内壁
４０  吊架体
４２  横材
４２Ａ  平坦部分
４４  縦材
５０  外装材
５２  化粧板
５２Ａ  凹溝
５４  アダプタ
５４Ａ  斜辺部
５４Ｂ  突片
６０  断熱材
７０  コンクリート
７２  連結用鉄筋
１００  コンクリートブロック構築体
【図１】
0005058743.tif 000002
【図２】
0005058743.tif 000003
【図３】
0005058743.tif 000004
【図４】
0005058743.tif 000005
【図５】
0005058743.tif 000006
【図６】
0005058743.tif 000007
【図７】
0005058743.tif 000008
【図８】
0005058743.tif 000009
【図９】
0005058743.tif 000010
【図１０】
0005058743.tif 000011